(57)【特許請求の範囲】
【請求項１】
ロワーハウジングのトリガーキー上受部にトリガーキー摺動方向へガイド溝を開設し、且つ、該ガイド溝がトリガーキー収納口へ開通する部分の左右縁部であって前記トリガーキー上受部上面に小突起を凸設し、一方、トリガーキー上面に前記ガイド溝を遊貫する係止片を立設し、且つ、該係止片上端を左右に拡幅することにより、該係止片上端を前記ガイド溝の左右縁部であって前記トリガーキー上受部上面に係止させたことを特徴とするコンピュータゲーム用コントロールパッドのトリガーキー取付構造。
【発明の詳細な説明】
【０００１】
【発明の属する技術分野】
この発明はコンピュータゲームのコントロールパッドに関するものであり、特に、そのトリガーキーの取付構造に関するものである。
【０００２】
【発明が解決しようとする課題】
コンピュータゲームには何らかの意味で標的を射撃する内容が少なくない。トリガーキーはそのような射撃場面で臨場感を与えるものであり、通常コントロールパッドの背面左右に配設されて、該コントロールパッドを把持操作するとき、丁度両手人差し指の指先を当てがって引き金を引くような操作ができるように構成されている。
【０００３】
一方、その他の操作キー、例えばモード切替を行うプッシュキーやキャラクタの移動を行う十字キー等は全てコントロールパッドの上面に配設される。この為、コントロールパッドを組立てる際は、これらその他の操作キーが脱落しないようにアッパーハウジングを逆さに載置して、その上方からロワーハウジングを蓋着し、ビス止めするのが一般的である。
【０００４】
従って、トリガーキーが脱落しないようにしつつ組立てるのは容易でなく、特に、トリガーキーを最初ロワーハウジングに取り付け、然る後に該ロワーハウジングをアッパーハウジングに蓋着することになるコントロールパッドに於いては極めて困難である。
【０００５】
そこで、組立時にトリガーキーが脱落することがないようにして此種コントロールパッドの組立を容易化するために解決すべき技術的課題が生じてくるのであり、本発明は該課題を解決することを目的とする。
【０００６】
【課題を解決するための手段】
本発明は上記課題を解決するために提案されたものであり、ロワーハウジングのトリガーキー上受部にトリガーキー摺動方向へガイド溝を開設し、且つ、該ガイド溝がトリガーキー収納口へ開通する部分の左右縁部であって前記トリガーキー上受部上面に小突起を凸設し、一方、トリガーキー上面に前記ガイド溝を遊貫する係止片を立設し、且つ、該係止片上端を左右に拡幅することにより、該係止片上端を前記ガイド溝の左右縁部であって前記トリガーキー上受部上面に係止させたコンピュータゲーム用コントロールパッドのトリガーキー取付構造を提供するものである。
【０００７】
【発明の実施の形態】
以下、本発明の実施の形態を図１乃至図３に従って詳述する。図１はコンピュータゲーム用のコントロールパッド１を示し、そのボディ２の左右から夫々手前方向（紙面下方）へグリップ３，３が突出している。また、背面（紙面上方）中央からケーブル４が延出して、コンピュータ本体（図示せず）へ接続される。
【０００８】
更に、図２にも示す如く、該コントロールパッド１の外筐はアッパーハウジング５とロワーハウジング６とに分割されている。そして、アッパーハウジング５のボディ２部分には大小の円孔７，７…が開穿され、大径の円孔７からは十字キー８が露出するとともに、小径の円孔７，７，７からはプッシュキー９，９，９が露出している。
【０００９】
このコントロールパッド１を組立てる際は、前記アッパーハウジング５を逆さに載置して、先ず、その円孔７，７…に前記十字キー８及びプッシュキー９，９，９を嵌入する。次に、ＰＣ基盤１０をその上方に敷設し、更に、ロワーハウジング６を蓋着することとなる。
【００１０】
而して、該ロワーハウジング６の左右のグリップ３，３部分基部には夫々トリガーキー収納部１１が設けられている。
即ち、該ロワーハウジング６のグリップ３，３部分には夫々その内面先端近傍と同じく内面略中央とに円筒状のボス１２，１２が立設されるとともに、略中央のボス１２から基部側（背面側）へ至るに従って次第に下方へ垂下膨拡してスウェル１３を形成している。そして、該スウェル１３は背面方向へ開口してトリガーキー収納口１４を形成するとともに、該トリガーキー収納口１４より更に背面側には、該トリガーキー収納口１４の左右上端に連続する平面にてトリガーキー上受部１５が形成されている。
【００１１】
該トリガーキー上受部１５は前記トリガーキー収納口１４の左右上端から内側へ平面視半円状に凹設されるとともに、その半円状凹部１６の頂端部には背面方向へガイド溝１７が開設されている。そして、該ガイド溝１７が前記半円状凹部１６、即ち、前記トリガーキー収納口１４へ開通する部分の左右縁部であって、前記トリガーキー上受部１５上面には夫々小突起１８，１８が凸設されている。
【００１２】
而して、図３は該トリガーキー収納部１１に収納するトリガーキー１９を示したものである。該トリガーキー１９の背面は流線状の指当て部２０を形成するとともに前面にはプッシュボス２１が突設されている。そして、該トリガーキー１９の半楕円状上面２２の頂端部には正面視Ｔ字形の係止片２３が立設されている。
【００１３】
該係止片２３の柱部２４の横幅は前記ガイド溝１７の幅より若干狭く、且つ、該柱部２４の高さは前記トリガーキー上受部１５の肉厚より若干大きくなるように形成されている。そして、該柱部２４の上方には左右に梁部２５が横架されている。
【００１４】
該トリガーキー１９は前記アッパーハウジング５にロワーハウジング６を蓋着する前に、予め該ロワーハウジング６に取り付けておく。取り付けに際して、図１に於いて二点鎖線で示すように、先ず該トリガーキー１９を前記ロワーハウジング６のスウェル１３内腔に嵌入させる。この時、前記半円状凹部１６が丁度トリガーキー１９の半楕円状上面２２の逃げ穴としての役割を果たす。そして、前記係止片２３と前記ガイド溝１７とが前後に対峙する。
【００１５】
然る後に、該トリガーキー１９を背面方向へ押し込むと、前記梁部２５が前記小突起１８，１８をクリックとともに乗り越え、図１に於いて破線、及び図２に示すように該梁部２５は前記ガイド溝１７の左右縁部であって前記トリガーキー上受部１５の上面に係止し、且つ、前記柱部２４は前記ガイド溝１７を上下に遊貫する状態になる。
【００１６】
また、該トリガーキー１９を背面方向へ最大量押し込むと、前記柱部２４がガイド溝１７の奥端部に拘止するとともに、該トリガーキー１９の前面縁部の鍔２６が前記トリガーキー収納口１４のエッジ２７に拘止する。更に、手前方向へは前記梁部２５が前記小突起１８，１８に引掛するため、相当の力を加えない限り前記係止片２３がガイド溝１７から外れることはない。
【００１７】
斯くして、該トリガーキー１９がロワーハウジング６のトリガーキー収納部１１に係着拘束される。従って、該ロワーハウジング６を前記アッパーハウジング５に蓋着するとき、トリガーキー１９が脱落することはなく作業が極めて容易になる。
【００１８】
このようにして、ロワーハウジング６をアッパーハウジング５に蓋着すると、図２に示す如く、前記ロワーハウジング６のボス１２，１２…とアッパーハウジング５のボス２８，２８…とが突き合わされて嵌合する。そして、前記ロワーハウジング６のボス１２，１２…の筒内にビス２９，２９…を差し込み、アッパーハウジング５のボス２８，２８…先端の雌螺子に螺合することにより、アッパーハウジング５とロワーハウジング６とを固定する。斯くして、コントロールパッド１の組立てが完了する。尚、前記ボス１２，１２…及び２８，２８…は該コントロールパッド１のボディ２にも設けられている。
【００１９】
而して、該コントロールパッド１内のＰＣ基盤１０にはトリガーキースイッチ３０が垂設されており、該トリガーキースイッチ３０は前記スウェル１３内腔に立設された左右２枚のブレード３１，３１と前記トリガーキー１９との間に挟装されている。また、該トリガーキースイッチ３０の樹脂ケース３２には前記トリガーキー１９のプッシュボス２１に対峙する位置に円筒状穴部３３が凹設され、該円筒状穴部３３内にダイアフラム状のラバーシート３４が配設されている。
【００２０】
そして、該ラバーシート３４の中央隆起部が前記プッシュボス２１に当接して、トリガーキー１９を背面方向（図２に於いて紙面右方）へ付勢している。更に、該中央隆起部裏面には可動電極３５が配設されるとともに、該トリガーキースイッチ３０の基盤３６の内側面には前記可動電極３５に対峙する位置に固定電極３７が配設されている。
【００２１】
斯くして、グリップ３，３を把持し、人差し指を前記トリガーキー１９の指当て部２０に当てがって該トリガーキー１９を引くと、前記可動電極３５が前記固定電極３７に当接して導通し、前記ケーブル４を介して所定の指令信号がコンピュータ本体へ出力される。この時、トリガーキースイッチ３０は前記ブレード３１，３１に支承されることによってトリガーキー１９の押圧力に対抗する。
【００２２】
そして、トリガーキー１９を離すと前記ラバーシート３４の弾性力によって該トリガーキー１９は背面方向へ押し戻され、且つ、前記可動電極３５が固定電極３７から解離する。斯かるオンオフ操作時に於いて、前記ガイド溝１７はトリガーキー１９を前後摺動方向へ案内する役割を果たすことになり、これによりトリガーキー１９の操作性が向上する。
【００２３】
尚、本発明は、本発明の精神を逸脱しない限り種々の改変を為すことができ、そして、本発明が該改変されたものに及ぶことは当然である。
【００２４】
【発明の効果】
以上説明したように、本発明は係止片をガイド溝に係止することにより、トリガーキーをロワーハウジングに拘束するものである。また、係止片とガイド溝とは、該係止片上端の拡幅部分をして、小突起を乗り越えさせるだけで係合する。
【００２５】
従って、トリガーキーを容易にロワーハウジングに取り付けることができ、そして、そのロワーハウジングをアッパーハウジングに蓋着する際に、前記トリガーキーが脱落することはない。斯くして、コントロールパッドの組立が容易化する。
【００２６】
また、前記ガイド溝はトリガーキーを摺動方向へ案内する役割を果たすので、該トリガーキーの操作性が向上する。
【図面の簡単な説明】
【図１】本発明の一実施の形態を示し、コントロールパッドの一部切欠平面図。
【図２】図１のＡ−Ａ線断面図。
【図３】トリガーキーの斜視図。
【符号の説明】
１        コントロールパッド
３        グリップ
５        アッパーハウジング
６        ロワーハウジング
１１        トリガーキー収納部
１４        トリガーキー収納口
１５        トリガーキー上受部
１７        ガイド溝
１８        小突起
１９        トリガーキー
２２        半楕円状上面
２３        係止片
２４        柱部
２５        梁部
【図１】
0003704831.tif 000002
【図２】
0003704831.tif 000003
【図３】
0003704831.tif 000004